(57)【要約】  天井埋込形空気調和装置は、開口を有する筐体と、開口に設けられ、吸込口と吸込口の外側に形成された吹出口とを有するパネルと、吹出口から吹き出される空気の風向を変更する風向板と、吸込口から吸い込まれる空気の吸込空気温度を検知する温度検知器と、風向板を制御する制御装置と、を備え、制御装置は、暖房運転時において、風向板の向きが天井面に対して水平方向の場合より垂直方向の場合の方が、高い吸込空気温度でサーモＯＦＦするものである。
2017203704.tif 000002
【特許請求の範囲】
【請求項１】
開口を有する筐体と、
前記開口に設けられ、吸込口と該吸込口の外側に形成された吹出口とを有するパネルと、
前記吹出口から吹き出される空気の風向を変更する風向板と、
前記吸込口から吸い込まれる空気の吸込空気温度を検知する温度検知器と、
前記風向板を制御する制御装置と、を備え、
前記制御装置は、
暖房運転時において、前記風向板の向きが天井面に対して水平方向の場合より垂直方向の場合の方が、高い前記吸込空気温度でサーモＯＦＦするものである
天井埋込形空気調和装置。
【請求項２】
前記制御装置は、
暖房運転時において、前記吸込空気温度と予め設定された設定温度との差温に応じて、前記風向板の向きを変更するものである
請求項１に記載の天井埋込形空気調和装置。
【請求項３】
前記制御装置は、
暖房運転時において、前記吸込空気温度と前記設定温度との差温が基準温度以下の場合は、前記風向板の向きを天井面に対して垂直方向から水平方向に変更し、前記吸込空気温度と前記設定温度との差温が基準温度より大きい場合は、前記風向板の向きを天井面に対して水平方向から垂直方向に変更するものである
請求項２に記載の天井埋込形空気調和装置。
【請求項４】
前記制御装置は、
前記風向板をスイングさせる機能を有しており、
前記機能は複数のスイングパターンを有しており、
暖房運転時において、前記吸込空気温度と予め設定された設定温度との差温に応じて、前記スイングパターンを変更するものである
請求項１に記載の天井埋込形空気調和装置。
【請求項５】
前記制御装置は、
暖房運転時において、前記吸込空気温度と前記設定温度との差温が基準温度より大きい場合は、前記風向板が天井面に対して最も垂直方向を向く回数を減らした前記スイングパターンに変更するものである
請求項４に記載の天井埋込形空気調和装置。
【請求項６】
前記制御装置は、
前記風向板の向きが天井面に対して垂直方向で角度の異なる複数の風向設定を有しており、
第一天井と前記第一天井よりも高い第二天井とに設置された場合、
前記制御装置は、
暖房運転時において、同じ風向設定でも前記第一天井に設置された場合よりも前記第二天井に設置された場合の方が、前記風向板の向きを天井面に対して垂直方向にするものである
請求項１〜５のいずれか一項に記載の天井埋込形空気調和装置。
【請求項７】
第一天井と前記第一天井よりも高い第二天井とに設置された場合、
前記制御装置は、
同じスイングパターンにしたがって前記風向板をスイングさせる場合でも前記第一天井に設置された場合よりも前記第二天井に設置された場合の方が、前記風向板をスイングさせる速度を遅くするものである
請求項４〜６のいずれか一項に記載の天井埋込形空気調和装置。
【発明の詳細な説明】
【技術分野】
【０００１】
本発明は、天井埋込形空気調和装置の風向制御に関するものである。
【背景技術】
【０００２】
従来、暖房運転時における室内の温度分布を改善した天井埋込形空気調和装置が提案されている（例えば、特許文献１参照）。特許文献１に開示された天井埋込形空気調和装置では、暖房運転の開始直後の室温が安定していないときは、風向を天井面に対して垂直方向である下吹きとし、室温が安定したら風向を天井面に対して水平方向である水平吹きに変更し、かつ、風量を下吹き時よりも大きくすることで、天井面から壁面を伝い、床面に沿って流れるサーキュレーションを発生させて、暖房運転時における室内の温度分布を改善している。
【先行技術文献】
【特許文献】
【０００３】
【特許文献１】特開平１−３０２０５９号公報
【発明の概要】
【発明が解決しようとする課題】
【０００４】
特許文献１に開示された天井埋込形空気調和装置では、吸込口の外側に吹出口を有しているため、下吹きの場合、空調対象の部屋に対して、吹出口から吹き出された空気が吸込口から吸い込まれる空気循環の範囲が限られている。そのため、暖房運転時に下吹きにすると、天井埋込形空気調和装置の下方と天井埋込形空気調和装置から遠い場所とでは、温度分布が大きくなる傾向にある。そして、天井埋込形空気調和装置の下方が暖まると、部屋全体が暖まる前にサーモＯＦＦする制御が働き、部屋全体としての室温上昇が鈍くなるという課題がある。【０００５】
本発明は、上記のような課題を解決するためになされたもので、吸込口の外側に吹出口を有している場合であっても、暖房運転時に部屋全体が暖まる前にサーモＯＦＦせずに、部屋全体の室温上昇を行うことができる天井埋込形空気調和装置を提供することを目的としている。
【課題を解決するための手段】
【０００６】
本発明に係る天井埋込形空気調和装置は、開口を有する筐体と、前記開口に設けられ、吸込口と該吸込口の外側に形成された吹出口とを有するパネルと、前記吹出口から吹き出される空気の風向を変更する風向板と、前記吸込口から吸い込まれる空気の吸込空気温度を検知する温度検知器と、前記風向板を制御する制御装置と、を備え、前記制御装置は、暖房運転時において、前記風向板の向きが天井面に対して水平方向の場合より垂直方向の場合の方が、高い前記吸込空気温度でサーモＯＦＦするものである。
【発明の効果】
【０００７】
本発明に係る天井埋込形空気調和装置によれば、風向板の向きが天井面に対して水平方向の場合より垂直方向の場合の方が、高い吸込空気温度でサーモＯＦＦするものである。これは、風向が天井面に対して水平方向の場合より垂直方向の場合の方が、吸込空気温度が高くなるためである。このようにすることで、吸込口の外側に吹出口を有し、下吹時に吸込空気温度が上昇する場合でも、部屋全体の室温上昇を行うことができる。
【図面の簡単な説明】
【０００８】
【図１】本発明の実施の形態１に係る天井埋込形空気調和装置の側面から見た概略断面図である。
【図２】本発明の実施の形態１に係る天井埋込形空気調和装置の制御装置の機能ブロック図である。
【図３】本発明の実施の形態１に係る天井埋込形空気調和装置の各風向設定時における風向板の向きを示す概略図である。
【図４】本発明の実施の形態１に係る天井埋込形空気調和装置の風向設定を「下吹３」とした場合の室内空気の流れを示す概略図である。
【図５】本発明の実施の形態１に係る天井埋込形空気調和装置の風向設定を「下吹２」とした場合の室内空気の流れを示す概略図である。
【図６】本発明の実施の形態１に係る天井埋込形空気調和装置の風向設定を「水平」とした場合の室内空気の流れを示す概略図である。
【図７Ａ】本発明の実施の形態１に係る天井埋込形空気調和装置の風向設定を「自動」とした場合の制御を示すフローチャートの前半である。
【図７Ｂ】本発明の実施の形態１に係る天井埋込形空気調和装置の風向設定を「自動」とした場合の制御を示すフローチャートの後半である。
【図８】本発明の実施の形態２に係る天井埋込形空気調和装置の風向板のスイングパターンを説明する図である。
【図９】本発明の実施の形態２に係る天井埋込形空気調和装置の風向設定を「スイング」とした場合の制御を示すフローチャートである。
【図１０】本発明の実施の形態２に係る天井埋込形空気調和装置の天井高さと風向角度とを示す図である。
【図１１】本発明の実施の形態２に係る天井埋込形空気調和装置の天井高さとスイング時間とを示す図である。
【発明を実施するための形態】
【０００９】
以下、本発明の天井埋込形空気調和装置の実施の形態について、図面を参照して説明する。なお、図面の形態は一例であり、本発明を限定するものではない。また、各図において同一の符号を付したものは、同一のまたはこれに相当するものであり、これは明細書の全文において共通している。さらに、以下の図面では各構成部材の大きさの関係が実際のものとは異なる場合がある。
【００１０】
実施の形態１．
［天井埋込形空気調和装置１００の構成］
図１は、本発明の実施の形態１に係る天井埋込形空気調和装置１００の側面から見た概略断面図である。
以下、本実施の形態１に係る天井埋込形空気調和装置１００の構成について説明する。
図１に示すように、天井埋込形空気調和装置１００は、開口を有する板金性の外郭１ａとその内側に設けられた断熱材１ｂとで構成された筐体１を備えている。筐体１の内部には、回転自在に配置され、空気の流れを生じさせるファン２と、ファン２に連結され回転駆動するモータ３と、ファン２を囲むように配置され、ファン２によって筐体１の内部に吸い込まれた室内空気と冷媒との間で熱交換させ、空調空気を作り出す熱交換器４と、熱交換器４の下方に配置され、熱交換器４からのドレン水を回収し、また、吹出口８付近の風路を一部形成するドレンパン５と、が設けられている。
【００１１】
筐体１の開口には、パネル６が設けられている。天井埋込形空気調和装置１００は、パネル６が下側に取り付けられ、パネル６が天井面２０側となるように天井埋込形空気調和装置１００が天井に設置される。パネル６は、中央に形成され、室内空気を吸い込む吸込口７と、吸込口７の外側に形成され、筐体１の内部の熱交換器４で熱交換された空調空気を吹き出す吹出口８と、を備えている。
【００１２】
吸込口７にはフィルタ９が設けられており、ファン２によって吸込口７から吸い込まれた室内空気は、フィルタ９を通過して筐体１の内部に取り込まれる。また、フィルタ９を覆うように吸込口７にメンテナンスパネル１０が設けられている。そして、メンテナンスパネル１０を取り外すことにより、フィルタ９、ファン２、モータ３、および、制御装置５０等のメンテナンスを行うことができる。
【００１３】
吹出口８には、風向を上下方向の所定範囲で変更する風向板１２が設けられている。ここで、上下方向とは、図１に示すように天井に設置された天井埋込形空気調和装置１００を側面視した状態においての方向である。また、吸込口７内部には、吸込口７から吸い込まれた室内空気の温度を吸込空気温度として検知する温度検知器１１が設けられており、それに近接した位置に設けられた制御装置５０に接続されている。
【００１４】
制御装置５０は、例えば、専用のハードウェア、またはメモリに格納されるプログラムを実行するＣＰＵ（Central Processing Unit、中央処理装置、処理装置、演算装置、マイクロプロセッサ、マイクロコンピュータ、プロセッサともいう）で構成される。また、制御装置５０は、記憶部５１を備えている。
制御装置５０が処理を行うために必要となるデータを一時的または長期的に記憶するものであり、例えば、メモリ等で構成されている。
なお、本実施の形態１では、制御装置５０は記憶部５１を備えているが、記憶部５１は制御装置５０内に設けられている必要はなく、制御装置５０外に設けられ、制御装置５０と電気的に接続されて互いに通信できる態様で設けられていればよい。
【００１５】
［天井埋込形空気調和装置１００の動作］
次に、天井埋込形空気調和装置１００の動作について説明する。
モータ３が回転駆動すると、モータ３に連結しているファン２が回転し、吸込口７から室内空気を吸い込み、室内空気はフィルタ９を通過して、筐体１の内部に吸い込まれる。このとき、温度検知器１１によって吸込空気温度が検知される。ファン２によって吸い込まれた室内空気は熱交換器４に向けて吹き出され、熱交換器４を経由してそこで熱交換され、空調空気となって吹出口８から室内に向けて吹き出される。
【００１６】
図２は、本発明の実施の形態１に係る天井埋込形空気調和装置１００の制御装置５０の機能ブロック図である。
図２に示すように、制御装置５０は、記憶部５１の他、利用者が風向設定、温度設定、タイマー設定などの操作を行うリモコン（図示省略）との通信を行う通信部５３と、風向板１２の制御を行い、風向を制御する風向制御部５４と、後述するサーモ判定など各種判定を行う判定部５２と、を備えている。
【００１７】
図３は、本発明の実施の形態１に係る天井埋込形空気調和装置１００の各風向設定時における風向板１２の向きを示す概略図である。なお、図３の風向は、天井面２０に対する角度を示している。
風向板１２は、利用者によるリモコンの設定に応じて、風向を変更するものである。リモコンからの風向設定情報は制御装置５０の通信部５３に通信され、制御装置５０の風向制御部５４は、風向板１２に接続された風向板モータ（図示省略）を制御することで、風向板１２の向きが所定の角度に変更される。例として、利用者により設定される風向設定が「水平」、「下吹１」、「下吹２」、「下吹３」とした時の風向板イメージ図を図３に示す。前記風向設定に関する情報は、記憶部５１に記憶されている。
なお、以下においても風向設定の種類を示す場合は、括弧書きとする。
【００１８】
図３から分かるように、風向板１２は、風向設定が「水平」のとき、天井面２０に対して最も水平方向を向いており、「下吹３」のときが天井面２０に対して最も垂直方向を向いている。そして、風向は、「水平」のときが天井面２０に対して最も水平方向であり、「下吹３」のときが天井面２０に対して最も垂直方向である。そのため、風向板１２の向きおよび風向は、「水平」、「下吹１」、「下吹２」、「下吹３」の順に天井面２０に対して水平方向から垂直方向となる。なお、風向は、風向板１２の角度とパネル形状により決まるため、風向と風向板１２の角度とは一致しない。
【００１９】
以下、水平、垂直とは、特に断りがない限り、天井埋込形空気調和装置１００が設置されている天井面２０に対して水平、垂直であるものとする。また、水平方向とは、天井面２０に対して０°〜３０°の範囲を言うものとし、垂直方向とは、天井面２０に対して６０°〜９０°の範囲を言うものとする。
【００２０】
天井埋込形空気調和装置１００は、風向の初期設定を、冷房運転時は「水平」に設定し、暖房運転時は「下吹３」に設定する。冷房運転時は、冷気が自然対流で下向きに流れることから、比較的広範囲に空調可能な「水平」に風向を設定する。一方、暖房運転時は、暖気が空気の比重の影響で上向きに流れる傾向があることと、快適性から足元を暖めることが重要とされていることから、「下吹３」に風向を設定する。
【００２１】
利用者が任意に設定する風向とは別に、暖房運転の開始直後では温風が出るのに時間がかかることから、天井埋込形空気調和装置１００は、風向を「水平」に設定して、利用者の不快感を防止する。また、暖房運転中の室外機の霜取制御中、および、暖房運転で室温が設定温度に到達した時のサーモＯＦＦ時等も一時的に温風が出なくなることから、天井埋込形空気調和装置１００は、風向を「水平」に設定して、利用者の不快感を防止する。ここで、サーモＯＦＦとは、温風の供給を停止することである。
【００２２】
図４は、本発明の実施の形態１に係る天井埋込形空気調和装置１００の風向設定を「下吹３」とした場合の室内空気の流れを示す概略図である。なお、図４の矢印は空気の流れを示している。
以下、風向設定が「下吹３」に設定された時の室内空気の流れについて説明する。
天井面２０付近の吹出口８から下向き（例えば、天井面２０に対して７０°）に吹出された温風は、少し広がりながら床面２１に到達し、再び吸込口７に戻る流れとなる。
【００２３】
風向設定が「下吹３」では、垂直方向において、床面２１に到達する温風量が多いため、天井埋込形空気調和装置１００の下方の空気温度の上昇が早く、天井埋込形空気調和装置１００から近い位置に居る利用者の満足度は高い特長がある。一方、水平方向において、温風が到達する範囲が狭いため、天井埋込形空気調和装置１００から遠い位置では、室温の上昇は遅い傾向にある。
【００２４】
暖房運転時の空気の流れの過程において、室温の上昇とともに、吹出の温風は周囲の温度に熱を吸収され、徐々に温度が下降していき、吸込口７に戻るが、吸込口７周囲の空気も少し吹出の温風で暖められる。そのため、床面２１付近で温度が最も低くなり、戻る過程で再度温度が上昇していき、天井埋込形空気調和装置１００の吸込空気温度は、他の風向設定に比べ高くなる傾向にある。
【００２５】
図５は、本発明の実施の形態１に係る天井埋込形空気調和装置１００の風向設定を「下吹２」とした場合の室内空気の流れを示す概略図である。なお、図５の矢印は空気の流れを示している。
以下、風向設定を「下吹２」とした時の室内空気の流れについて説明する。
天井面２０付近の吹出口８から斜め下向きに吹出された温風は、斜め下向き（例えば、天井面２０に対して５０°）に吹出された温風は、広がりながら床面２１に到達し、再び吸込口７に戻る流れとなる。
【００２６】
風向設定が「下吹２」では、垂直方向において、床面２１に到達する量は「下吹３」と比べると少なく、天井埋込形空気調和装置１００の下方の空気温度の上昇は、「下吹３」よりも遅い傾向にある。一方、水平方向において、「下吹３」よりも広がった流れとなるため、広範囲を暖めることができる。
【００２７】
吹出の温風は、「下吹３」に比べ吸込口７周囲の空気をあまり暖めないことから、吸込口７に戻る空気温度はあまり上昇しない。そのため、天井埋込形空気調和装置１００の吸込空気温度は、「下吹３」に比べ低くなる傾向にある。
【００２８】
図６は、本発明の実施の形態１に係る天井埋込形空気調和装置１００の風向設定を「水平」とした場合の室内空気の流れを示す概略図である。なお、図６の矢印は空気の流れを示している。
以下、風向設定を「水平」とした時の室内空気の流れについて説明する。
天井面２０付近の吹出口８から水平方向（例えば、天井面２０に対して０°）に吹出された温風は、空気の比重の影響を受けて、天井面２０に沿って流れ、壁面２２に到達し、壁面２２を沿って徐々に床面２１方向に流れる傾向にある。壁面２２が近い場合は、床面２１まで到達し、床面２１を介して吸込口７に戻る流れとなるが、壁面２２が遠い場合は、床面２１に到達せず、床面２１より上の層で折り返し、吸込口７に戻る流れになる傾向にある。
【００２９】
風向設定が「水平」では、垂直方向において、床面２１に到達する量は下吹時と比べると少なく、天井埋込形空気調和装置１００の下方の空気温度の上昇は、下吹時よりも遅い傾向にある。そのため、暖房運転の開始直後に「水平」で運転すると、天井埋込形空気調和装置１００から近い位置に居る利用者の満足度は低くなる。一方、下吹時よりも広範囲に温風が届くため、壁面２２が近い場合、天井面２０が低い場合等は、部屋全体を暖めるのが早い傾向にある。天井埋込形空気調和装置１００の吸込空気は、吹出空気の影響を受け難いため、下吹時と比べて低い温度となる。
【００３０】
上記のように、天井埋込形空気調和装置１００では、風向によってそれぞれ室温の暖め方が異なるため、風向を状況に応じて変更する「自動」の風向設定の機能を設け、利用者がリモコンにて風向設定を「自動」とすることで、天井埋込形空気調和装置１００の制御装置５０は、利用者の満足度が高くなるように風向制御を行う。
【００３１】
図７Ａは、本実施の形態１に係る天井埋込形空気調和装置１００の風向設定を「自動」とした場合の制御を示すフローチャートの前半であり、図７Ｂは、本実施の形態１に係る天井埋込形空気調和装置１００の風向設定を「自動」とした場合の制御を示すフローチャートの後半である。
以下、本実施の形態１に係る天井埋込形空気調和装置１００の暖房運転時における制御について、図７Ａおよび図７Ｂを参照して説明する。
制御装置５０は、暖房運転が開始したら（ステップＳ１）、風向板１２を動作させて風向を水平にする（ステップＳ２）。
ステップＳ２の後、制御装置５０は、サーモ判定を行う（ステップＳ３）。
【００３２】
なお、サーモ判定は、温度検知器１１により検知される吸込空気温度Ｔａｉｒと、リモコン等から利用者により予め設定される室温の設定温度Ｔｓｅｔとの差温を用いて行う。しかし、天井埋込形空気調和装置１００で天井面２０付近から空気を吸い込む場合、空気の比重の影響により、床面２１から天井面２０に近くなるにつれて温度が上昇する傾向にある。そのため、あらかじめ利用者が居る環境温度と天井面２０近くにある吸込口７付近の温度との差Ｔｈを見込み、吸込空気温度の読み替えを行う。
【００３３】
そこで、制御装置５０は、吸込空気温度Ｔａｉｒと設定温度Ｔｓｅｔとの差温が基準温度Ｔｈ−Ｔｃ１以下であるかどうかを判定すること（Ｔａｉｒ−Ｔｓｅｔ≦Ｔｈ−Ｔｃ１）により、サーモＯＮするかどうかの判定を行う（ステップＳ３）。なお、上記Ｔｃ１は第一温度補正値であり、例えば、０．５である。
【００３４】
ステップＳ３において、制御装置５０は、サーモＯＮ条件を満たしている場合は（ステップＳ３のＹｅｓ）、サーモＯＮし（ステップＳ４）、温風が出るまでの所定時間（例えば、５分または、熱交換器４の冷媒出口温度が３５℃以上となるまでの時間）が経過したかどうかを判定する（ステップＳ５）。
ステップＳ５において、所定時間が経過した場合は（ステップＳ５のＹｅｓ）、制御装置５０は、風向板１２を動作させて風向を水平から下吹３に変更する（ステップＳ６）。
ステップＳ６の後、制御装置５０は、吸込空気温度Ｔａｉｒと設定温度Ｔｓｅｔとの差温が基準温度Ｔｈ−Ｔｃ１より大きくなるまで温度上昇しているかどうかを判定し（Ｔａｉｒ−Ｔｓｅｔ＞Ｔｈ−Ｔｃ１）、風向を変更するかどうかの判定を行う（ステップＳ７）。
【００３５】
ステップＳ７において、制御装置５０は、風向を変更する条件を満たしている場合は（ステップＳ７のＹｅｓ）、風向が下吹３での吸込空気温度Ｔａｉｒを記憶部５１に記憶し、タイマカウントを開始する（ステップＳ８）。その後、制御装置５０は、風向板１２を動作させて風向を下吹３から下吹２に変更する（ステップＳ９）。
【００３６】
ここで、風向が水平時のサーモＯＦＦ条件を、Ｔａｉｒ−Ｔｓｅｔ＞Ｔｈ＋Ｔｃ１としたとき、風向が水平時以外である下吹時のサーモＯＦＦ条件を、Ｔａｉｒ−Ｔｓｅｔ＞Ｔｈ＋Ｔｃ２とする。なお、Ｔｃ２＞Ｔｃ１である。つまり、風向が下吹時のサーモＯＦＦとなる温度条件を、風向が水平時のサーモＯＦＦとなる温度条件よりも高く設定している。これは、風向が水平時に比べ下吹時の方が、吸込空気温度が高くなるためである。
【００３７】
ステップＳ９の後、制御装置５０は、吸込空気温度Ｔａｉｒと設定温度Ｔｓｅｔとの差温が基準温度Ｔｈ＋Ｔｃ２以下であるかどうか（Ｔａｉｒ−Ｔｓｅｔ≦Ｔｈ＋Ｔｃ２）により、サーモＯＮを継続するかどうかの判定を行う（ステップＳ１０）。なお、上記Ｔｃ２は第二温度補正値であり、例えば、２．０である。
【００３８】
ステップＳ１０において、制御装置５０は、サーモＯＮ継続条件を満たしている場合は（ステップＳ１０のＹｅｓ）、現在の下吹２での吸込空気温度ＴａｉｒがステップＳ８で記憶した下吹３での吸込空気温度Ｔａｉｒ０に対して基準温度Ｔｃ１以上、温度低下しているかどうか（Ｔａｉｒ≦Ｔａｉｒ０−Ｔｃ１）により、風向を変更するかどうかの判定を行う（ステップＳ１１）。
一方、制御装置５０は、サーモＯＮ継続条件を満たしていない場合は、つまりサーモＯＦＦ条件を満たしている場合は（ステップＳ１０のＮｏ）、サーモＯＦＦし（ステップＳ３２）、ステップＳ２に戻る。
【００３９】
ステップＳ１１において、制御装置５０は、風向を変更する条件を満たしている場合は（ステップＳ１１のＹｅｓ）、ステップＳ８でタイマカウントを開始してから第二所定時間（例えば、５分）が経過したかどうかを判定し（ステップＳ１２）、第二所定時間が経過した場合は（ステップＳ１２のＹｅｓ）、風向が下吹２での吸込空気温度Ｔａｉｒを記憶部５１に記憶し、タイマカウントを開始した後（ステップＳ１３）、風向板１２を動作させて風向を下吹２から下吹１に変更する（ステップＳ１４）。
一方、制御装置５０は、風向を変更する条件を満たしていない場合は（ステップＳ１１のＮｏ）、吹出方向に障害物等があるなど、効率の悪い運転となっていると判断し、風向板１２を動作させて風向を一つ前の状態に戻す、つまり、下吹２から下吹３に変更する（ステップＳ２６）。
【００４０】
ステップＳ２６の後、制御装置５０は、吸込空気温度Ｔａｉｒと設定温度Ｔｓｅｔとの差温が基準温度Ｔｈ＋Ｔｃ２以下であるかどうか（Ｔａｉｒ−Ｔｓｅｔ≦Ｔｈ＋Ｔｃ２）により、サーモＯＮを継続するかどうかの判定を行う（ステップＳ２７）。
【００４１】
ステップＳ２７において、制御装置５０は、サーモＯＮ継続条件を満たしている場合は（ステップＳ２７のＹｅｓ）、Ｔａｉｒ−Ｔｓｅｔ≦Ｔｈ−Ｔｃ１により、吸込空気温度Ｔａｉｒと設定温度Ｔｓｅｔとの差温が基準温度Ｔｈ−Ｔｃ１以下となるまで温度低下したかどうかの判定を行う（ステップＳ２８）。
一方、制御装置５０は、サーモＯＮ継続条件を満たしていない場合は、つまりサーモＯＦＦ条件を満たしている場合は（ステップＳ２７のＮｏ）、サーモＯＦＦし（ステップＳ３２）、ステップＳ２に戻る。
【００４２】
ステップＳ２８において、制御装置５０は、吸込空気温度Ｔａｉｒと設定温度Ｔｓｅｔとの差温が基準温度Ｔｈ−Ｔｃ１以下となるまで温度低下していた場合は（ステップＳ２８のＹｅｓ）、ステップＳ６に戻る。
一方、制御装置５０は、吸込空気温度Ｔａｉｒと設定温度Ｔｓｅｔとの差温が基準温度Ｔｈ−Ｔｃ１以下となるまで温度低下していなかった場合は（ステップＳ２８のＮｏ）、ステップＳ２７に戻る。
【００４３】
ステップＳ１４の後、制御装置５０は、吸込空気温度Ｔａｉｒと設定温度Ｔｓｅｔとの差温が基準温度Ｔｈ＋Ｔｃ２以下であるかどうか（Ｔａｉｒ−Ｔｓｅｔ≦Ｔｈ＋Ｔｃ２）により、サーモＯＮを継続するかどうかの判定を行う（ステップＳ１５）。
【００４４】
ステップＳ１５において、制御装置５０は、サーモＯＮ継続条件を満たしている場合は（ステップＳ１５のＹｅｓ）、下吹１での現在の吸込空気温度ＴａｉｒがステップＳ１３で記憶した下吹２時の吸込空気温度Ｔａｉｒ０に対して基準温度Ｔａｉｒ０−Ｔｃ１以上、温度低下しているかどうか（Ｔａｉｒ≦Ｔａｉｒ０−Ｔｃ１）により、風向を変更するかどうかの判定を行う（ステップＳ１６）。
一方、制御装置５０は、サーモＯＮ継続条件を満たしていない場合は、つまりサーモＯＦＦ条件を満たしている場合は（ステップＳ１５のＮｏ）、サーモＯＦＦし（ステップＳ３２）、ステップＳ２に戻る。
【００４５】
ステップＳ１６において、制御装置５０は、風向を変更する条件を満たしている場合は（ステップＳ１６のＹｅｓ）、ステップＳ１３でタイマカウントを開始してから第二所定時間が経過したかどうかを判定し（ステップＳ１７）、第二所定時間が経過した場合は（ステップＳ１７のＹｅｓ）、風向が下吹１での吸込空気温度Ｔａｉｒを記憶部５１に記憶し、タイマカウントを開始した後（ステップＳ１８）、風向板１２を動作させて風向を下吹１から水平に変更する（ステップＳ１９）。
一方、制御装置５０は、風向を変更する条件を満たしていない場合は（ステップＳ１６のＮｏ）、吹き出し方向に障害物等があるなど、効率の悪い運転となっていると判断し、風向板１２を動作させて風向一つ前の状態に戻す、つまり、下吹１から下吹２に変更する（ステップＳ２９）。
【００４６】
ステップＳ２９の後、制御装置５０は、吸込空気温度Ｔａｉｒと設定温度Ｔｓｅｔとの差温が基準温度Ｔｈ＋Ｔｃ２以下であるかどうか（Ｔａｉｒ−Ｔｓｅｔ≦Ｔｈ＋Ｔｃ２）により、サーモＯＮを継続するかどうかの判定を行う（ステップＳ３０）。
【００４７】
ステップＳ３０において、制御装置５０は、サーモＯＮ継続条件を満たしている場合は（ステップＳ３０のＹｅｓ）、Ｔａｉｒ−Ｔｓｅｔ≦Ｔｈ−Ｔｃ１により、吸込空気温度Ｔａｉｒと設定温度Ｔｓｅｔとの差温が基準温度Ｔｈ−Ｔｃ１以下となるまで温度低下したかどうかの判定を行う（ステップＳ３１）。
一方、制御装置５０は、サーモＯＮ継続条件を満たしていない場合は、つまりサーモＯＦＦ条件を満たしている場合は（ステップＳ３０のＮｏ）、サーモＯＦＦし（ステップＳ３２）、ステップＳ２に戻る。
【００４８】
ステップＳ３１において、制御装置５０は、吸込空気温度Ｔａｉｒと設定温度Ｔｓｅｔとの差温が基準温度Ｔｈ−Ｔｃ１以下となるまで温度低下していた場合は（ステップＳ３１のＹｅｓ）、ステップＳ６に戻る。
一方、制御装置５０は、吸込空気温度Ｔａｉｒと設定温度Ｔｓｅｔとの差温が基準温度Ｔｈ−Ｔｃ１以下となるまで温度低下していなかった場合は（ステップＳ３１のＮｏ）、ステップＳ３０に戻る。
【００４９】
ステップＳ１９の後、制御装置５０は、吸込空気温度Ｔａｉｒと設定温度Ｔｓｅｔとの差温が基準温度Ｔｈ＋Ｔｃ２以下であるかどうか（Ｔａｉｒ−Ｔｓｅｔ≦Ｔｈ＋Ｔｃ２）により、サーモＯＮを継続するかどうかの判定を行う（ステップＳ２０）。
【００５０】
ステップＳ２０において、制御装置５０は、サーモＯＮ継続条件を満たしている場合は（ステップＳ２０のＹｅｓ）、下吹２での現在の吸込空気温度ＴａｉｒがステップＳ１８で記憶した下吹１での吸込空気温度Ｔａｉｒ０に対して基準温度Ｔａｉｒ０−Ｔｃ１以上、温度低下しているかどうか（Ｔａｉｒ≦Ｔａｉｒ０−Ｔｃ１）により、風向を変更するかどうかの判定を行う（ステップＳ２１）。
一方、制御装置５０は、サーモＯＮ継続条件を満たしていない場合は、つまりサーモＯＦＦ条件を満たしている場合は（ステップＳ２０のＮｏ）、サーモＯＦＦし（ステップＳ３６）、ステップＳ２に戻る。
【００５１】
ステップＳ２１において、制御装置５０は、風向を変更する条件を満たしている場合は（ステップＳ２１のＹｅｓ）、ステップＳ１８でタイマカウントを開始してから第二所定時間が経過したかどうかを判定し（ステップＳ２２）、第二所定時間が経過した場合は（ステップＳ２２のＹｅｓ）、吸込空気温度Ｔａｉｒと設定温度Ｔｓｅｔとの差温が基準温度Ｔｈ＋Ｔｃ１以下であるかどうか（Ｔａｉｒ−Ｔｓｅｔ≦Ｔｈ＋Ｔｃ１）により、サーモＯＮを継続するかどうかの判定を行う（ステップＳ２３）。
一方、制御装置５０は、風向を変更する条件を満たしていない場合は（ステップＳ２１のＮｏ）、吹き出し方向に障害物等があるなど、効率の悪い運転となっていると判断し、風向板１２を動作させて風向を一つ前の状態に戻す、つまり、水平から下吹１に変更する（ステップＳ３３）。
【００５２】
ステップＳ３３の後、制御装置５０は、吸込空気温度Ｔａｉｒと設定温度Ｔｓｅｔとの差温が基準温度Ｔｈ＋Ｔｃ２以下であるかどうか（Ｔａｉｒ−Ｔｓｅｔ≦Ｔｈ＋Ｔｃ２）により、サーモＯＮを継続するかどうかの判定を行う（ステップＳ３４）。
【００５３】
ステップＳ３４において、制御装置５０は、サーモＯＮ継続条件を満たしている場合は（ステップＳ３４のＹｅｓ）、Ｔａｉｒ−Ｔｓｅｔ≦Ｔｈ−Ｔｃ１により、吸込空気温度Ｔａｉｒと設定温度Ｔｓｅｔとの差温が基準温度Ｔｈ−Ｔｃ１以下となるまで温度低下したかどうかの判定を行う（ステップＳ３５）。
一方、制御装置５０は、サーモＯＮ継続条件を満たしていない場合は、つまりサーモＯＦＦ条件を満たしている場合は（ステップＳ３４のＮｏ）、サーモＯＦＦし（ステップＳ３６）、ステップＳ２に戻る。
【００５４】
ステップＳ３５において、制御装置５０は、吸込空気温度Ｔａｉｒと設定温度Ｔｓｅｔとの差温が基準温度Ｔｈ−Ｔｃ１以下となるまで温度低下していた場合は（ステップＳ３５のＹｅｓ）、ステップＳ６に戻る。
一方、制御装置５０は、吸込空気温度Ｔａｉｒと設定温度Ｔｓｅｔとの差温が基準温度Ｔｈ−Ｔｃ１以下となるまで温度低下していなかった場合は（ステップＳ３５のＮｏ）、ステップＳ３４に戻る。
【００５５】
ステップＳ２３において、制御装置５０は、サーモＯＮ継続条件を満たしている場合は（ステップＳ２３のＹｅｓ）、Ｔａｉｒ−Ｔｓｅｔ≦Ｔｈ−Ｔｃ１により、吸込空気温度Ｔａｉｒと設定温度Ｔｓｅｔとの差温が基準温度Ｔｈ−Ｔｃ１以下となるまで温度低下したかどうかの判定を行う（ステップＳ２４）。
一方、制御装置５０は、サーモＯＮ継続条件を満たしていない場合は、つまりサーモＯＦＦ条件を満たしている場合は（ステップＳ２３のＮｏ）、サーモＯＦＦし（ステップＳ２５）、ステップＳ２に戻る。
【００５６】
ステップＳ２４において、制御装置５０は、吸込空気温度Ｔａｉｒと設定温度Ｔｓｅｔとの差温が基準温度Ｔｈ−Ｔｃ１以下となるまで温度低下していた場合は（ステップＳ２４のＹｅｓ）、ステップＳ６に戻る。
一方、制御装置５０は、吸込空気温度Ｔａｉｒと設定温度Ｔｓｅｔとの差温が基準温度Ｔｈ−Ｔｃ１以下となるまで温度低下していなかった場合は（ステップＳ２４のＮｏ）、ステップＳ２３に戻る。
【００５７】
上記のように、天井埋込形空気調和装置１００は、暖房運転を開始してサーモＯＮした後の初期時では風向を下吹３にして暖房を行い、基準温度まで吸込空気温度が上昇したら風向を下吹３からより水平方向に近い下吹２に変化させるが、そうすることにより吸込空気温度は下降する。そして、基準温度まで吸込空気温度が下降する毎に、風向を徐々に水平方向に変化させる。このように、天井埋込形空気調和装置１００は、吸込空気温度が下降する風向となるように風向板１２を変化させながら暖房運転を行うことで、部屋の低い温度を吸込むため、運転の効率が高く、部屋全体の室温上昇に効果がある。
【００５８】
また、天井埋込形空気調和装置１００は、吸込空気温度が基準温度となるまで低下した場合は、再度、風向を下吹３に戻し、床面２１から暖める運転を行う。このとき、風向が水平時以外では周囲温度よりも高い温度の空気を吸込むことから、サーモＯＦＦし難くなるようにサーモＯＦＦ温度を水平時よりも高く設定し、連続運転することで部屋全体の温度上昇を行うことができる。
【００５９】
図７Ａおよび図７Ｂでは、風向が水平時と水平時以外とでサーモＯＦＦ温度を変更した内容としているが、吸込空気温度Ｔａｉｒを水平時と水平時以外の差温分読み替える対応としてもよい。例えば、温度検知器１１により検知される吸込空気温度をＴａｉｒとしたとき、サーモ判定に使用する温度Ｔｊは、水平時はＴｊ＝Ｔａｉｒとなるが、下吹時はＴｊ＝Ｔａｉｒ−１．５となる。
【００６０】
この場合、例えば、図７ＡのステップＳ１０における下吹２時のサーモＯＮ継続条件は、Ｔｊ−Ｔｓｅｔ≦Ｔｈ＋Ｔｃ２−１．５となり、Ｔｃ２−１．５＝Ｔｃ１であるため、図７ＢのステップＳ２３の水平時のサーモＯＮ継続条件である、Ｔｊ−Ｔｓｅｔ≦Ｔｈ＋Ｔｃ１と記載上同一となる。これは、風向の違いによりＴｊの値が異なることによる。Ｔｊをリモコン表示温度に使用すると風向により急な変化となるため、例えば、３０秒毎にＴｃ１変化させて、緩やかな変化としてもよい。
【００６１】
また、輻射センサにより床面２１等の温度を検知し、吸込空気温度と輻射センサの検知温度とによる重み付け平均等により、サーモ判定に使用する温度を計算する場合、前述の水平時と水平時以外の温度読み替えを使用することで、より精度の高い室温検知を行うことができる。
【００６２】
以上のことから、本実施の形態１に係る天井埋込形空気調和装置１００は、開口を有する筐体１と、開口に設けられ、吸込口７と吸込口７の外側に形成された吹出口８とを有するパネル６と、吹出口８から吹き出される空気の風向を上下方向に変更する風向板１２と、吸込口から吸い込まれる空気の吸込空気温度を検知する温度検知器１１と、風向板１２を制御する制御装置５０と、を備え、制御装置５０は、暖房運転時において、風向板１２の向きが天井面２０に対して水平方向の場合より垂直方向の場合の方が、高い吸込空気温度でサーモＯＦＦするものである。
【００６３】
このようにすることで、吸込口７の外側に吹出口８を有し、下吹時に吸込空気温度が上昇する場合でも、部屋全体の室温上昇を行うことができる。
【００６４】
また、本実施の形態１に係る天井埋込形空気調和装置１００は、制御装置５０は、暖房運転時において、吸込空気温度と予め設定された設定温度との差温に応じて、風向板１２の向きを変更するものである。
【００６５】
このようにすることで、吸込口７の外側に吹出口８を有し、下吹時に吸込空気温度が上昇する場合でも、部屋全体の室温上昇を行うことができる。
【００６６】
また、本実施の形態１に係る天井埋込形空気調和装置１００は、制御装置５０は、暖房運転時において、吸込空気温度と設定温度との差温が基準温度以下の場合は、風向板１２の向きを天井面２０に対して垂直方向から水平方向に変更し、吸込空気温度と設定温度との差温が基準温度より大きい場合は、風向板１２の向きを天井面２０に対して水平方向から垂直方向に変更するものである。
【００６７】
このように、吸込空気温度が下降する風向となるよう風向板１２を変化させながら暖房運転を行うことで、部屋の低い温度を吸込むため、運転の効率が高く、部屋全体の室温上昇に効果がある。また、吹出方向に障害物等があるなど、効率の悪い運転となっていると判断し、風向板１２の向きを天井面２０に対して水平方向から垂直方向に変更することによって、運転の効率が悪くなるのを抑制することができる。
【００６８】
実施の形態２．
以下、本発明の実施の形態２に係る天井埋込形空気調和装置１００Ａについて説明する。なお、天井埋込形空気調和装置１００Ａの構成については、実施の形態１に係る天井埋込形空気調和装置１００と同様なので説明を省略する。
実施の形態１とは、風向制御についてのみ異なるため、風向制御について説明する。
【００６９】
本実施の形態２に係る天井埋込形空気調和装置１００Ａは、風向板１２をスイングさせる機能を備えている。スイングとは、風向を固定せず、図３に示すように、風向板１２を水平方向から垂直方向、および垂直方向から水平方向に常時往復動作させること、つまり、風向を水平から下吹３まで、および下吹３から水平まで繰り返し変化させることである。その結果、図４〜図６に示す空気の流れの繰り返しとなる。
【００７０】
そのため、下吹３時の床面２１への暖房および下吹２時の広範囲への暖房が可能となるが、スイングにより風向板１２が往復動作し、下吹３時の風向の時に吸込口７周囲の空気も少し吹出の温風で暖められるため、吸込空気温度も上昇傾向にある。つまり、スイング時は、風向が水平時に比べ、吸込空気温度が高くなる。そこで、スイング時は、風向が水平時のサーモＯＦＦとなる温度条件よりも高く設定する。
【００７１】
また、部屋の低い温度を吸い込んで運転の効率を高くし、部屋全体の室温上昇を促進するため、スイング時は、吸込空気温度と設定温度との差に応じて、下吹３の角度をスキップする制御とする。
【００７２】
図８は、本発明の実施の形態２に係る天井埋込形空気調和装置１００Ａの風向板１２のスイングパターンを説明する図である。なお、図８中の数字は風向板１２が動作する順番を示している。
図８に示すように、暖房立ち上がり時のように、設定温度よりも吸込空気温度の方が十分低い場合は、下吹３をスキップしないスイングパターン１、または下吹３を２往復に１回スキップするスイングパターン２とし、室温が上昇してくると、下吹３を３往復に２回スキップするスイングパターン３、または下吹３を全ての往復でスキップするスイングパターン４とする。
【００７３】
図９は、本発明の実施の形態２に係る天井埋込形空気調和装置１００Ａの風向設定を「スイング」とした場合の制御を示すフローチャートである。
以下、本実施の形態２に係る天井埋込形空気調和装置１００Ａの暖房運転時における制御について、図９を参照して説明する。
制御装置５０は、暖房運転が開始したら（ステップＳ５１）、風向板１２を動作させて風向を水平にする（ステップＳ５２）。
ステップＳ２の後、制御装置５０は、サーモ判定を行う（ステップＳ５３）。
【００７４】
なお、サーモ判定は、温度検知器１１により検知される吸込空気温度Ｔａｉｒと、リモコン等から利用者により設定される室温の設定温度Ｔｓｅｔとの差温を用いて行う。しかし、天井埋込形空気調和装置１００で天井面２０付近から空気を吸い込む場合、空気の比重の影響により、床面２１から天井面２０に近くなるにつれて温度が上昇する傾向にある。そのため、あらかじめ利用者が居る環境温度と天井面２０近くにある吸込口７付近の温度との差Ｔｈを見込み、吸込空気温度の読み替えを行う。
【００７５】
そこで、制御装置５０は、吸込空気温度Ｔａｉｒと設定温度Ｔｓｅｔとの差温が基準温度Ｔｈ−Ｔｃ１以下であるかどうか（Ｔａｉｒ−Ｔｓｅｔ≦Ｔｈ−Ｔｃ１）により、サーモＯＮするかどうかの判定を行う（ステップＳ５３）。なお、上記Ｔｃ１は第一温度補正値であり、例えば、０．５である。
【００７６】
ステップＳ５３において、制御装置５０は、サーモＯＮ条件を満たしている場合は（ステップＳ５３のＹｅｓ）、サーモＯＮし（ステップＳ５４）、温風が出るまでの所定時間（例えば、５分または、熱交換器４の冷媒出口温度が３５℃以上となるまでの時間）が経過したかどうかを判定する（ステップＳ５５）。
ステップＳ５５において、所定時間が経過した場合は（ステップＳ５５のＹｅｓ）、制御装置５０は、スイングパターンを、下吹３を２往復に１回スキップするスイングパターン２とし、それにしたがって風向板１２をスイングさせる（ステップＳ５６）。
ステップＳ５６の後、制御装置５０は、吸込空気温度Ｔａｉｒと設定温度Ｔｓｅｔとの差温が基準温度Ｔｈ−Ｔｃ２より大きくなるまで温度上昇しているかどうか（Ｔａｉｒ−Ｔｓｅｔ＞Ｔｈ−Ｔｃ２）によりスイングパターンを変更するかどうかの判定を行う（ステップ５７）。なお、上記Ｔｃ２は第二温度補正値であり、例えば、２．０である。
【００７７】
ステップＳ５７において、制御装置５０は、スイングパターンを変更する条件を満たしている場合は（ステップＳ５７のＹｅｓ）、スイングパターンを、下吹３を３往復に２回スキップするスイングパターン３とし、それにしたがって風向板１２をスイングさせる（ステップＳ５８）。
【００７８】
ステップＳ５８の後、制御装置５０は、吸込空気温度Ｔａｉｒと設定温度Ｔｓｅｔとの差温が基準温度Ｔｈ−Ｔｃ３より大きくなるまで温度上昇しているかどうか（Ｔａｉｒ−Ｔｓｅｔ＞Ｔｈ−Ｔｃ３）により、スイングパターンを変更するかどうかの判定を行う（ステップ５９）。なお、上記Ｔｃ３は第三温度補正値であり、例えば、１．０である。
【００７９】
ステップＳ５９において、制御装置５０は、スイングパターンを変更する条件を満たしている場合は（ステップＳ５９のＹｅｓ）、スイングパターンを、下吹３を全ての往復でスキップするスイングパターン４とし、それにしたがって風向板１２をスイングさせる（ステップＳ６０）。
一方、制御装置５０は、スイングパターンを変更する条件を満たしていない場合は（ステップＳ５９のＮｏ）、Ｔａｉｒ−Ｔｓｅｔ≦Ｔｈ−Ｔｃ２により、吸込空気温度Ｔａｉｒと設定温度Ｔｓｅｔとの差温が基準温度Ｔｈ−Ｔｃ２以下となるまで温度低下したかどうかの判定を行う（ステップＳ６３）。
【００８０】
ステップＳ６３において、制御装置５０は、吸込空気温度Ｔａｉｒと設定温度Ｔｓｅｔとの差温が基準温度Ｔｈ−Ｔｃ２以下となるまで温度低下していた場合は（ステップＳ６３のＹｅｓ）、ステップＳ５６に戻る。
一方、制御装置５０は、吸込空気温度Ｔａｉｒと設定温度Ｔｓｅｔとの差温が基準温度Ｔｈ−Ｔｃ２以下となるまで温度低下していなかった場合は（ステップＳ６３のＮｏ）、ステップＳ５９に戻る。
【００８１】
ステップＳ６０の後、制御装置５０は、吸込空気温度Ｔａｉｒと設定温度Ｔｓｅｔとの差温が基準温度Ｔｈ＋Ｔｃ３より高いかどうか（Ｔａｉｒ−Ｔｓｅｔ＞Ｔｈ＋Ｔｃ３）により、サーモＯＦＦするかどうかの判定を行う（ステップＳ６１）。ここで、ステップＳ６１のサーモＯＦＦとなる温度条件を、風向が水平時のサーモＯＦＦとなる温度条件（図７ＢのステップＳ２３参照）よりも、高く設定している。これは、風向が水平時に比べスイング時の方が、吸込空気温度が高くなるためである。
【００８２】
ステップＳ６１において、制御装置５０は、サーモＯＦＦ条件を満たしている場合は（ステップＳ６１のＹｅｓ）、サーモＯＦＦし（ステップＳ６２）、ステップＳ５２に戻る。
一方、制御装置５０は、サーモＯＦＦ条件を満たしていない場合は（ステップＳ６１のＮｏ）、Ｔａｉｒ−Ｔｓｅｔ≦Ｔｈ−Ｔｃ３により、吸込空気温度Ｔａｉｒと設定温度Ｔｓｅｔとの差温が基準温度Ｔｈ−Ｔｃ３以下となるまで温度低下したかどうかの判定を行う（ステップＳ６４）。
【００８３】
ステップＳ６４において、制御装置５０は、吸込空気温度Ｔａｉｒと設定温度Ｔｓｅｔとの差温が基準温度Ｔｈ−Ｔｃ３以下となるまで温度低下していた場合は（ステップＳ６４のＹｅｓ）、Ｔａｉｒ−Ｔｓｅｔ≦Ｔｈ−Ｔｃ２により、吸込空気温度Ｔａｉｒと設定温度Ｔｓｅｔとの差温が基準温度Ｔｈ−Ｔｃ２以下となるまで温度低下したかどうかの判定を行う（ステップＳ６５）。
一方、制御装置５０は、吸込空気温度Ｔａｉｒと設定温度Ｔｓｅｔとの差温が基準温度Ｔｈ−Ｔｃ３以下となるまで温度低下していなかった場合は（ステップＳ６４のＮｏ）、ステップＳ６１に戻る。
【００８４】
ステップＳ６５において、制御装置５０は、吸込空気温度Ｔａｉｒと設定温度Ｔｓｅｔとの差温が基準温度Ｔｈ−Ｔｃ２以下となるまで温度低下していた場合は（ステップＳ６５のＹｅｓ）、ステップＳ５６に戻る。
一方、制御装置５０は、吸込空気温度Ｔａｉｒと設定温度Ｔｓｅｔとの差温が基準温度Ｔｈ−Ｔｃ２以下となるまで温度低下していなかった場合は（ステップＳ６５のＮｏ）、ステップＳ５９に戻る。
【００８５】
図１０は、本発明の実施の形態２に係る天井埋込形空気調和装置１００Ａの天井高さと風向角度とを示す図である。
天井に設置される天井埋込形空気調和装置１００Ａでは、設置される天井高さによって、人のいる空調対象空間が遠くなるため、天井高さに応じて吹出口８からの吹出速度を変更するという対応を行うが、図１０に示すように、天井高さによって床面２１への水平方向の到達位置が異なるため、空調範囲が天井高さによって変わらず、かつ、所定の範囲内を空調できるように、風向角度についても天井高さに応じて変更する。
【００８６】
図１１は、本発明の実施の形態２に係る天井埋込形空気調和装置１００Ａの天井高さとスイング時間とを示す図である。なお、ここでいうスイング時間とは、スイング時において風向板１２を水平方向から垂直方向、つまり風向を水平から下吹３にするまでの片道にかかる時間のことであり、反対方向についても同じ時間である。
また、標準よりも天井が高い場合に風向設定を「スイング」にすると、床面２１までの風の到達および温度変化に遅れが生じ、快適性が損なわれたり暖まりが不十分になったりする場合がある。そのため、図１１に示すように、風向板１２をスイングさせる速度（以下、スイング速度と称する）も天井高さに応じて変更し、天井が高くなるにつれてスイング速度を遅くし、十分に到達させてから次の風向に移行させる。
【００８７】
以上のことから、本実施の形態２に係る天井埋込形空気調和装置１００Ａは、制御装置５０は、風向板１２をスイングさせる機能を有しており、前記機能は複数のスイングパターンを有しており、暖房運転時において、吸込空気温度と予め設定された設定温度との差温に応じて、スイングパターンを変更するものである。
【００８８】
このようにすることで、吸込口７の外側に吹出口８を有し、下吹時に吸込空気温度が上昇する場合でも、部屋全体の室温上昇を行うことができる。
【００８９】
また、本実施の形態２に係る天井埋込形空気調和装置１００Ａは、制御装置５０は、暖房運転時において、吸込空気温度と設定温度との差温が基準温度より大きい場合は、風向板１２が天井面２０に対して最も垂直方向を向く回数を減らしたスイングパターンに変更するものである。
【００９０】
このように、風向板１２が天井面２０に対して最も垂直方向を向く回数を減らしたスイングパターンに変更しながら暖房運転を行うことで、運転の効率が高く、部屋全体の室温上昇に効果がある。
【００９１】
また、本実施の形態２に係る天井埋込形空気調和装置１００Ａは、制御装置５０は、風向板１２の向きが天井面２０に対して垂直方向で角度が異なる複数の風向設定を有しており、第一天井と第一天井よりも高い第二天井とに設置された場合、制御装置５０は、暖房運転時において、同じ風向設定でも第一天井に設置された場合よりも第二天井に設置された場合の方が、風向板１２の向きを天井面２０に対して垂直方向にするものである。
【００９２】
このようにすることで、天井高さが高い場合でも、標準の高さと同じ範囲を空調する天井埋込形空気調和装置１００Ａを得ることができる。
【００９３】
また、本実施の形態２に係る天井埋込形空気調和装置１００Ａは、第一天井と第一天井よりも高い第二天井とに設置された場合、制御装置５０は、同じスイングパターン設定でも第一天井に設置された場合よりも第二天井に設置された場合の方が、風向板１２をスイングさせる速度を遅くするものである。
【００９４】
このようにすることで、天井高さが高い場合でも、床面２１まで風を到達させることができる天井埋込形空気調和装置１００Ａを得ることができる。
【００９５】
なお、天井高さは、天井埋込形空気調和装置１００Ａに、例えば赤外線センサなどの距離検知手段を設けて自動で検知するようにしてもよいし、天井埋込形空気調和装置１００Ａを天井に設置する際に、利用者が設定するようにしてもよい。
【符号の説明】
【００９６】
１  筐体、１ａ  外郭、１ｂ  断熱材、２  ファン、３  モータ、４  熱交換器、５  ドレンパン、６  パネル、７  吸込口、８  吹出口、９  フィルタ、１０  メンテナンスパネル、１１  温度検知器、１２  風向板、２０  天井面、２１  床面、２２  壁面、５０  制御装置、５１  記憶部、５２  判定部、５３  通信部、５４  風向制御部、１００  天井埋込形空気調和装置、１００Ａ  天井埋込形空気調和装置。
【図１】
2017203704.tif 000003
【図２】
2017203704.tif 000004
【図３】
2017203704.tif 000005
【図４】
2017203704.tif 000006
【図５】
2017203704.tif 000007
【図６】
2017203704.tif 000008
【図７Ａ】
2017203704.tif 000009
【図７Ｂ】
2017203704.tif 000010
【図８】
2017203704.tif 000011
【図９】
2017203704.tif 000012
【図１０】
2017203704.tif 000013
【図１１】
2017203704.tif 000014
【手続補正書】
【提出日】平成30年8月17日(2018.8.17)
【手続補正２】
【補正対象書類名】明細書
【補正対象項目名】０００１
【補正方法】変更
【補正の内容】
【０００１】
本発明は、空気調和装置の風向制御に関するものである。
【手続補正３】
【補正対象書類名】明細書
【補正対象項目名】０００５
【補正方法】変更
【補正の内容】
【０００５】
本発明は、上記のような課題を解決するためになされたもので、吸込口の外側に吹出口を有している場合であっても、暖房運転時に部屋全体が暖まる前にサーモＯＦＦせずに、部屋全体の室温上昇を行うことができる空気調和装置を提供することを目的としている。
【手続補正４】
【補正対象書類名】明細書
【補正対象項目名】０００６
【補正方法】変更
【補正の内容】
【０００６】
本発明に係る空気調和装置は、開口を有する筐体と、前記開口に設けられ、吸込口と該吸込口の外側に形成された吹出口とを有するパネルと、前記吹出口から吹き出される空気の風向を変更する風向板と、前記吸込口から吸い込まれる空気の吸込空気温度を検知する温度検知器と、前記風向板を制御する制御装置と、を備え、前記制御装置は、暖房運転時において、前記風向板の向きが天井面に対して水平方向の場合より垂直方向の場合の方が、高い前記吸込空気温度でサーモＯＦＦするものである。
【手続補正５】
【補正対象書類名】明細書
【補正対象項目名】０００７
【補正方法】変更
【補正の内容】
【０００７】
本発明に係る空気調和装置によれば、風向板の向きが天井面に対して水平方向の場合より垂直方向の場合の方が、高い吸込空気温度でサーモＯＦＦするものである。これは、風向が天井面に対して水平方向の場合より垂直方向の場合の方が、吸込空気温度が高くなるためである。このようにすることで、吸込口の外側に吹出口を有し、下吹時に吸込空気温度が上昇する場合でも、部屋全体の室温上昇を行うことができる。
【手続補正６】
【補正対象書類名】明細書
【補正対象項目名】０００９
【補正方法】変更
【補正の内容】
【０００９】
以下、本発明の空気調和装置の実施の形態について、図面を参照して説明する。なお、図面の形態は一例であり、本発明を限定するものではない。また、各図において同一の符号を付したものは、同一のまたはこれに相当するものであり、これは明細書の全文において共通している。さらに、以下の図面では各構成部材の大きさの関係が実際のものとは異なる場合がある。
【手続補正７】
【補正対象書類名】特許請求の範囲
【補正対象項目名】全文
【補正方法】変更
【補正の内容】
【特許請求の範囲】
【請求項１】
開口を有する筐体と、
前記開口に設けられ、吸込口と該吸込口の外側に形成された吹出口とを有するパネルと、
前記吹出口から吹き出される空気の風向を変更する風向板と、
前記吸込口から吸い込まれる空気の吸込空気温度を検知する温度検知器と、
前記風向板を制御する制御装置と、を備え、
前記制御装置は、
暖房運転時において、前記風向板の向きが天井面に対して水平方向の場合より垂直方向の場合の方が、高い前記吸込空気温度でサーモＯＦＦするものである
空気調和装置。
【請求項２】
前記制御装置は、
暖房運転時において、前記吸込空気温度と予め設定された設定温度との差温に応じて、前記風向板の向きを変更するものである
請求項１に記載の空気調和装置。
【請求項３】
前記制御装置は、
暖房運転時において、前記吸込空気温度と前記設定温度との差温が基準温度以下の場合は、前記風向板の向きを天井面に対して垂直方向から水平方向に変更し、前記吸込空気温度と前記設定温度との差温が基準温度より大きい場合は、前記風向板の向きを天井面に対して水平方向から垂直方向に変更するものである
請求項２に記載の空気調和装置。
【請求項４】
前記制御装置は、
前記風向板をスイングさせる機能を有しており、
前記機能は複数のスイングパターンを有しており、
暖房運転時において、前記吸込空気温度と予め設定された設定温度との差温に応じて、前記スイングパターンを変更するものである
請求項１に記載の空気調和装置。
【請求項５】
前記制御装置は、
暖房運転時において、前記吸込空気温度と前記設定温度との差温が基準温度より大きい場合は、前記風向板が天井面に対して最も垂直方向を向く回数を減らした前記スイングパターンに変更するものである
請求項４に記載の空気調和装置。
【請求項６】
前記制御装置は、
前記風向板の向きが天井面に対して垂直方向で角度の異なる複数の風向設定を有しており、
第一天井と前記第一天井よりも高い第二天井とに設置された場合、
前記制御装置は、
暖房運転時において、同じ風向設定でも前記第一天井に設置された場合よりも前記第二天井に設置された場合の方が、前記風向板の向きを天井面に対して垂直方向にするものである
請求項１〜５のいずれか一項に記載の空気調和装置。
【請求項７】
第一天井と前記第一天井よりも高い第二天井とに設置された場合、
前記制御装置は、
同じスイングパターンにしたがって前記風向板をスイングさせる場合でも前記第一天井に設置された場合よりも前記第二天井に設置された場合の方が、前記風向板をスイングさせる速度を遅くするものである
請求項４〜６のいずれか一項に記載の空気調和装置。
【国際調査報告】
2017203704.tif 000015
2017203704.tif 000016